【手続補正書】
【提出日】平成17年11月4日(2005.11.4)
【手続補正１】
【補正対象書類名】明細書
【補正対象項目名】特許請求の範囲
【補正方法】変更
【補正の内容】
【特許請求の範囲】
【請求項１】
ヒータ・チップと、
前記ヒータ・チップに結合され、複数の一次及び二次ノズルが中に形成されたノズル・プレートとを含み、
前記一次ノズルは、第１及び第２のノズル・プレート・カラムに位置する第１及び第２のノズルを備え、前記二次ノズルは、第３及び第４のノズル・プレート・カラムに位置する第３及び第４のノズルを備え、
各第３ノズルは各前記第１ノズルと水平軸を共有し、また各第４ノズルは各前記第２ノズルと水平軸を共有し、これにより前記二次ノズルを前記一次ノズルと重複するようにしたインク・ジェット・プリントヘッド。
【請求項２】
前記第１及び第２のカラムは、Ｘを３以上で９以下の奇数としたときにＸ／１２００インチに等しい距離だけ相互に離間する、請求項１に記載のインク・ジェット・プリントヘッド。
【請求項３】
前記第３及び第４のカラムは、Ｘを３以上で９以下の奇数としたときにＸ／１２００インチに等しい距離だけ相互に離間する、請求項２に記載のインク・ジェット・プリントヘッド。
【請求項４】
前記第１及び第３のカラムは、Ｙを４０以上の偶数としたときにＹ／６００インチに等しい距離だけ相互に離間する、請求項３に記載のインク・ジェット・プリントヘッド。
【請求項５】
前記第１及び第３のカラムは、Ｙを４０以上の偶数としたときにＹ／６００インチに等しい距離だけ相互に離間する、請求項１に記載のインク・ジェット・プリントヘッド。
【請求項６】
前記第２のノズルが前記第１のノズルに対して互い違いに配置され、前記第４のノズルが前記第３のノズルに対して互い違いに配置される、請求項１に記載のインク・ジェット・プリントヘッド。
【請求項７】
隣接する第１及び第２のノズル間の垂直距離が約１／６００インチである、請求項６に記載のインク・ジェット・プリントヘッド。
【請求項８】
隣接する第１のノズル間の垂直距離が約１／３００インチである、請求項７に記載のインク・ジェット・プリントヘッド。
【請求項９】
ヒータ・チップと該ヒータ・チップに結合されたノズル・プレートとを含むプリント・カートリッジと、
前記プリント・カートリッジに電気的に結合された駆動回路とを備え、
前記ヒータ・チップは第１、第２、第３及び第４の加熱要素を有し、前記ノズル・プレートは複数の一次及び二次ノズルを有し、前記一次ノズルは第１及び第２のノズル・プレート・カラムに位置する第１及び第２のノズルを備え、前記二次ノズルは、第３及び第４のノズル・プレート・カラムに位置する第３及び第４のノズルを備え、前記ノズルの各々はインク放出エネルギーを発生するために前記加熱要素の１つを有し、
各第３ノズルは各前記第１ノズルと水平軸を共有し、また各第４ノズルは各前記第２ノズルと水平軸を共有し、これにより前記二次ノズルを前記一次ノズルと重複するようにし、
前記駆動回路は点火パルスを前記加熱要素に印加する、インク・ジェット印刷装置。
【請求項１０】
前記第１及び第２のカラムは、Ｘを３以上で９以下の奇数としたときにＸ／１２００インチに等しい距離だけ相互に離間する、請求項９に記載のインク・ジェット印刷装置。
【請求項１１】
前記第３及び第４のカラムは、Ｘを３以上で９以下の奇数としたときにＸ／１２００インチに等しい距離だけ相互に離間する、請求項１０に記載のインク・ジェット印刷装置。
【請求項１２】
前記第１及び第３のカラムは、Ｙを４０以上の偶数としたときにＹ／６００インチに等しい距離だけ相互に離間する、請求項１１に記載のインク・ジェット印刷装置。
【請求項１３】
前記第１及び第３のカラムは、Ｙを４０以上の偶数としたときにＹ／６００インチに等しい距離だけ相互に離間する、請求項９に記載のインク・ジェット印刷装置。
【請求項１４】
前記第２のノズルが前記第１のノズルに対して互い違いに配置され、前記第４のノズルが前記第３のノズルに対して互い違いに配置される、請求項９に記載のインク・ジェット印刷装置。
【請求項１５】
隣接する第１及び第２のノズル間の垂直距離が約１／６００インチである、請求項１４に記載のインク・ジェット印刷装置。
【請求項１６】
隣接する第１のノズル間の垂直距離が約１／３００インチである、請求項１５に記載のインク・ジェット印刷装置のプリントヘッド。
【請求項１７】
前記駆動回路が、標準速度モード動作及び高速モード動作の１つで選択的に動作可能である、請求項９に記載のインク・ジェット印刷装置。
【請求項１８】
前記第１のノズルが前記第１の加熱要素に対応し、前記第２のノズルが前記第２の加熱要素に対応し、前記第３のノズルが前記第３の加熱要素に対応し、前記第４のノズルが前記第４の加熱要素に対応する、請求項９に記載のインク・ジェット印刷装置。
【請求項１９】
前記駆動回路が、標準速度モード点火サイクルの第１のセグメント間で第１及び第２の加熱要素に点火パルスを交互に印加し、前記標準速度モード点火サイクルの第２のセグメント間で前記第３及び第４の加熱要素に点火パルスを交互に印加する、請求項１８に記載のインク・ジェット印刷装置。
【請求項２０】
前記標準速度モード点火サイクルの前記第１と第２のセグメントの各時間長さが、約２４マイクロ秒から約６４マイクロ秒である、請求項１９に記載のインク・ジェット印刷装置。
【請求項２１】
前記駆動回路が、高速モード点火サイクルの第１セグメント間で前記第１の加熱要素に第１の点火パルスを印加し、前記高速モード点火サイクルの第２セグメント間で前記第２の加熱要素に第２の点火パルスを印加し、前記高速モード点火サイクルの第３セグメント間で前記第３の加熱要素に第３の点火パルスを印加し、前記高速モード点火サイクルの第４セグメント間で前記第４の加熱要素に第４の点火パルスを印加する、請求項１８に記載のインク・ジェット印刷装置。
【請求項２２】
前記高速モード点火サイクルの前記第１、第２、第３及び第４セグメントの各時間長さが約１２マイクロ秒から約６４マイクロ秒である、請求項２１に記載のインク・ジェット印刷装置。
【請求項２３】
ヒータ・チップへ結合されてインク・ジェット・プリントヘッドを形成するようにしたノズル・プレートであって、
複数の一次及び二次ノズルが中に形成された基板を備え、
前記一次ノズルは、第１及び第２のノズル・プレート・カラムに位置する第１及び第２のノズルを備え、前記二次ノズルは、第３及び第４のノズル・プレート・カラムに位置する第３及び第４のノズルを備え、
各第３ノズルは各前記第１ノズルと水平軸を共有し、また各第４ノズルは各前記第２ノズルと水平軸を共有し、これにより前記二次ノズルを前記一次ノズルと重複するようにしたノズル・プレート。
【請求項２４】
前記第１及び第２のカラムは、Ｘを３以上で９以下の奇数としたときにＸ／１２００インチに等しい距離だけ相互に離間する、請求項２３に記載のノズル・プレート。
【請求項２５】
前記第３及び第４のカラムは、Ｘを３以上で９以下の奇数としたときにＸ／１２００インチに等しい距離だけ相互に離間する、請求項２４に記載のノズル・プレート。
【請求項２６】
前記第１及び第３のカラムは、Ｙを４０以上の偶数としたときにＹ／６００インチに等しい距離だけ相互に離間する、請求項２５に記載のノズル・プレート。
【請求項２７】
前記第１及び第３のカラムは、Ｙを４０以上の偶数としたときにＹ／６００インチに等しい距離だけ相互に離間する、請求項２３に記載のノズル・プレート。
【請求項２８】
前記第２のノズルが前記第１のノズルに対して互い違いに配置され、前記第４のノズルが前記第３のノズルに対して互い違いに配置される、請求項２３に記載のノズル・プレート。
【請求項２９】
隣接する第１及び第２のノズル間の垂直距離が約１／６００インチである、請求項２８に記載のノズル・プレート。
【請求項３０】
隣接する第１のノズル間の垂直距離が約１／３００インチである、請求項２９に記載のノズル・プレート。
【手続補正２】
【補正対象書類名】図面
【補正対象項目名】図１０
【補正方法】変更
【補正の内容】
【図１０】
1999235816.tif 000001